(57)【要約】      （修正有）【課題】未習熟なユーザであっても予め登録されている検索条件を利用して、記録媒体に記録されているデータを容易に検索することができる検索表示装置を提供する。【解決手段】複数のデータと、複数のデータから特定のデータを検索するための検索条件とを、それぞれ識別子を有して記録する記録手段１４と、記録された各データの識別子と、検索条件に関連付けてこの検索条件の識別子を付加した仮想フォルダとを同一階層面に配置した第１ＧＵＩ画面を生成する第１ＧＵＩ画面生成手段１７２と、第１ＧＵＩ画面における仮想フォルダが選択された場合に、複数のデータそれぞれの識別子から、仮想フォルダに関連付けられた検索条件に適合するデータの識別子を検索する検索手段１７５と、データの識別子を配置した第２ＧＵＩ画面を生成する第２ＧＵＩ画面生成手段１７２と、第１又は第２ＧＵＩ画面を表示モニタに表示させる表示処理手段１７３とを備える。【選択図】図１
2008225850.tif 000002
【特許請求の範囲】
【請求項１】
表示モニタに接続される検索表示装置であって、
複数のデータと、前記複数のデータから特定のデータを検索するための検索条件とを、それぞれ識別子を有して記録する記録手段と、
前記記録された各データの識別子と、前記検索条件に関連付けてこの検索条件の識別子を付加した仮想フォルダとを同一階層面に配置した第１ＧＵＩ画面を生成する第１ＧＵＩ画面生成手段と、
前記生成した第１ＧＵＩ画面における仮想フォルダが選択された場合に、前記記録された複数のデータそれぞれの識別子から、前記選択された仮想フォルダに関連付けられた検索条件に適合するデータの識別子を検索する検索手段と、
前記検索されたデータの識別子を配置した第２ＧＵＩ画面を生成する第２ＧＵＩ画面生成手段と、
前記生成された第１又は第２ＧＵＩ画面を前記表示モニタに表示させる表示処理手段と、
を備えたことを特徴とする検索表示装置。
【請求項２】
表示モニタに接続される検索表示装置であって、
関連性のあるデータ単位でフォルダに関連付けした複数のデータと、前記フォルダと、前記複数のデータから特定のデータを検索するための検索条件とを、それぞれ識別子を有して記録する記録手段と、
前記記録されたフォルダと、前記検索条件に関連付けてこの検索条件の識別子を付加した仮想フォルダとを同一階層面に配置した第１ＧＵＩ画面を生成する第１ＧＵＩ画面生成手段と、
前記生成した第１ＧＵＩ画面における仮想フォルダが選択された場合に、前記記録された複数のデータそれぞれの識別子から、前記選択された仮想フォルダに関連付けられた検索条件に適合するデータの識別子を検索する検索手段と、
前記生成した第１ＧＵＩ画面におけるフォルダが選択された場合に、前記記録された複数のデータそれぞれの識別子から、前記選択されたフォルダに関連付けられたデータの識別子を抽出する抽出手段と、
前記検索されたデータの識別子を配置した第２ＧＵＩ画面を生成する第２ＧＵＩ画面生成手段と、
前記抽出されたデータの識別子を配置した第３ＧＵＩ画面を生成する第３ＧＵＩ画面生成手段と、
前記生成された第１〜第３ＧＵＩ画面のうちいずれかを前記表示モニタに表示させる表示処理手段と、
を備えたことを特徴とする検索表示装置。
【請求項３】
前記記録手段は、複数の検索条件を、それぞれ識別子を有して記録し、
前記第１ＧＵＩ画面生成手段は、前記各検索条件に関連付けて各検索条件の識別子を付加した仮想フォルダを階層的に設けるようにし、
前記検索手段は、下位の仮想フォルダが選択された場合に、この下位の仮想フォルダに関連付けられた検索条件と、前記下位の仮想フォルダよりも上位の仮想フォルダに関連付けられた検索条件とのＡＮＤ条件により適合するデータの識別子を、前記記録された複数のデータそれぞれの識別子から検索する
ように構成したことを特徴とする請求項１又は２に記載の検索表示装置。
【発明の詳細な説明】
【技術分野】
【０００１】
本発明は、予め登録されている検索条件を利用して、記録媒体に記録されているデータを容易に検索する検索表示装置に関する。
【背景技術】
【０００２】
近年、ハードディスク等の記録媒体は、その記録容量が増加している。このような記録媒体を用いた装置として、例えば映像データを記録及び再生するハードディスクビデオレコーダ等の記録再生装置がある。記録媒体の記録容量の増加に伴い、記録再生装置で記録されるデータ数も増加している。一方、記録媒体に多数のデータが記録されている場合、記録再生装置を利用するユーザは、希望するデータを探し出すことが困難になる。
【０００３】
これに対し、特定のデータを記録させるフォルダを生成して、関連するデータをフォルダ内に記録し、記録媒体に記録されている特定のデータを探す検索機能を利用する技術もある（例えば、特許文献１参照）。
【０００４】
一方、フォルダ内のデータ数が多い場合やフォルダの数が多い場合、フォルダ別にデータを記録していてもフォルダ内からデータを探すことが困難になる。また、検索機能では、ユーザの操作が複雑であることが多く、装置に未習熟なユーザにとっては利用しにくいことが多い。
【０００５】
図１２（ａ）に示すフローチャートを用いて、従来の記録再生装置が検索機能を用いてデータを検索する処理の一例を説明する。
【０００６】
まず、記録再生装置は、ディスプレイに図１３に示すような画面３ａを表示し、ユーザにポインタ３２によって希望する検索を操作するボタン３１１〜３１３を選択させる。例えばユーザによりボタン３１１が選択されると、記録再生装置は、新たに入力される検索条件でデータを検索する（処理Ａ）。また、ボタン３１２が選択されると、記録再生装置は、既に登録されている検索条件でデータを検索する（処理Ｂ）。さらにまた、ボタン３１３が選択されると、記録再生装置は、既に登録されている検索条件を更新してデータを検索する（処理Ｃ）。図１３は、画面３ａからポインタ３２によって、ボタン３１３が選択された一例である。
【０００７】
ボタン３１２又はボタン３１３が選択され、検索処理Ｂ又は検索処理Ｃが行われている場合（Ｓ００１でＮＯ）、記録再生装置は、予め登録されている検索条件を読み出し、使用する検索条件を選択させる画面３ｂ（例えば、図１４）を生成し、表示する（Ｓ００２〜Ｓ００４）。
【０００８】
画面３ｂから検索条件の識別子３３１〜３３３のいずれかが選択されたときに記録再生装置が処理Ｃを行っていれば（Ｓ００５でＹＥＳ，Ｓ００６でＹＥＳ）、ステップＳ００５で選択された検索条件を更新する画面３ｃ（例えば、図１５）を生成して表示する（Ｓ００７，Ｓ００８）。その後、記録再生装置は、ユーザからの操作によって検索条件を更新してデータを検索し、検索結果を表示する（Ｓ００９〜Ｓ０１２）。
【０００９】
例えば画面３ａでボタン３１３が選択されて表示された画面３ｂから既に登録されている検索条件の識別子３３１が選択されると、図１５に示すような画面３ｃ（検索条件：「１週間以内」）が表示される。このような画面ｃ３から図１６の画面３ｄ（検索条件：「昨日」）に示すように検索条件が変更されると、記録再生装置は、昨日録画されたデータを検索する。
【００１０】
一方、処理Ｂを行っている場合（Ｓ００６でＮＯ）、画面３ｂのように検索条件の識別子３３１が選択された記録再生装置は、記録媒体から最近１週間で録画されたデータを検索し、検索結果を表示する（Ｓ０１１，Ｓ０１２）。
【００１１】
また、処理Ａを行っている場合（Ｓ００１でＹＥＳ）、記録再生装置は、検索条件を登録して検索する画面３ｅ（例えば、図１７）を生成して表示し（Ｓ００７，Ｓ００８）、入力された条件を登録した後にデータを検索し、検索結果を表示する（Ｓ０１１，Ｓ０１２）。
【００１２】
なお、このとき、例えば登録されている検索条件を選択してデータを検索する場合のユーザの処理としては、図１２（ｂ）のフローチャートで一例を示すように、画面３ａからポインタ３２によって希望する処理のボタン３１１〜３１３を選択し（Ｓ０２１）、検索条件を含む画面３ｂを表示させ、画面３ｂを参照する（Ｓ０２２）。続いて、画面３ｂから検索条件の識別子３３１〜３３３を選択し（Ｓ０２３）、表示される検索結果の画面を参照する（Ｓ０２６）。また、処理Ａや処理Ｃの場合には、画面の参照や条件の入力等（Ｓ２０４，Ｓ２０６）の処理も行う必要があり、ユーザに課される操作が多く複雑である。
【特許文献１】特開平11−120202号公報
【発明の開示】
【発明が解決しようとする課題】
【００１３】
上述するように、従来の記録再生装置における検索機能では、検索のために画面３ａを表示したり、その後に表示される画面３ｂ〜３ｅに条件を入力する等の複雑な操作は未習熟なユーザにとって困難であることもあり、利用されていないことも多い。
【００１４】
上記課題に鑑み、本発明は、装置に未習熟なユーザであっても、予め登録されている検索条件を利用して容易にデータを検索し、検索結果を得ることができる検索表示装置を提供する。
【課題を解決するための手段】
【００１５】
上記課題を解決するため、本発明に係る検索表示装置は、複数のデータと、複数のデータから特定のデータを検索するための検索条件とを、それぞれ識別子を有して記録する記録手段と、記録された各データの識別子と、検索条件に関連付けてこの検索条件の識別子を付加した仮想フォルダとを同一階層面に配置した第１ＧＵＩ画面を生成する第１ＧＵＩ画面生成手段と、生成した第１ＧＵＩ画面における仮想フォルダが選択された場合に、記録された複数のデータそれぞれの識別子から、選択された仮想フォルダに関連付けられた検索条件に適合するデータの識別子を検索する検索手段と、検索されたデータの識別子を配置した第２ＧＵＩ画面を生成する第２ＧＵＩ画面生成手段と、生成された第１又は第２ＧＵＩ画面を表示モニタに表示させる表示処理手段と、を備えたことを特徴とする。
【００１６】
また、本発明の他の検索表示装置は、関連性のあるデータ単位でフォルダに関連付けした複数のデータと、前記フォルダと、前記複数のデータから特定のデータを検索するための検索条件とを、それぞれ識別子を有して記録する記録手段と、記録されたフォルダと、検索条件に関連付けてこの検索条件の識別子を付加した仮想フォルダとを同一階層面に配置した第１ＧＵＩ画面を生成する第１ＧＵＩ画面生成手段と、生成した第１ＧＵＩ画面における仮想フォルダが選択された場合に、記録された複数のデータそれぞれの識別子から、選択された仮想フォルダに関連付けられた検索条件に適合するデータの識別子を検索する検索手段と、生成した第１ＧＵＩ画面におけるフォルダが選択された場合に、記録された複数のデータそれぞれの識別子から、選択されたフォルダに関連付けられたデータの識別子を抽出する抽出手段と、検索されたデータの識別子を配置した第２ＧＵＩ画面を生成する第２ＧＵＩ画面生成手段と、抽出されたデータの識別子を配置した第３ＧＵＩ画面を生成する第３ＧＵＩ画面生成手段と、生成された第１〜第３ＧＵＩ画面のうちいずれかを表示モニタに表示させる表示処理手段と、を備えたことを特徴とする。
【００１７】
上記構成に係る各検索表示装置の記録手段は、複数の検索条件を、それぞれ識別子を有して記録し、第１ＧＵＩ画面生成手段は、各検索条件に関連付けて各検索条件の識別子を付加した仮想フォルダを階層的に設けるようにし、検索手段は、下位の仮想フォルダが選択された場合に、この下位の仮想フォルダに関連付けられた検索条件と、下位の仮想フォルダよりも上位の仮想フォルダに関連付けられた検索条件とのＡＮＤ条件により適合するデータの識別子を、記録された複数のデータそれぞれの識別子から検索するように構成することができる。
【発明の効果】
【００１８】
本発明によれば、装置の操作に未習熟なユーザであっても、予め登録されている検索条件を利用して容易にデータを検索することができる。
【発明を実施するための最良の形態】
【００１９】
以下に、図面を用いて本発明の最良の実施形態に係る検索表示装置について説明する。以下において検索表示装置１は、映像データを記録及び再生する機能を有する記録再生装置、例えばハードディスクビデオレコーダに適用されるものであり、検索条件を登録するとともに、登録された検索条件で記録された映像データを検索してモニタに表示する検索表示機能を有するものである。
【００２０】
本実施形態に係る検索表示装置１は、図１に示すように、データ入力部１１、操作入力部１２、記録制御部１３、記録媒体１４、再生制御部１５、データ出力部１６、検索処理部１７及び登録処理部１８を備えている。例えば、データ入力部１１、操作入力部１２、記録制御部１３、記録媒体１４、生成制御部１５、データ出力部１６、及び不図示のＣＰＵやメモリ等の制御部を備える記録再生装置に検索表示プログラムをインストールしてＣＰＵで実行することにより、検索処理部１７及び登録処理部１８が実装され、図１に示す検索表示装置１となる。
【００２１】
データ入力部１１は、チューナや外部信号入力インターフェイス等を含み、操作入力部１２から入力される操作信号に従って、外部から記録媒体１４に記録（録画）するデータ（映像データ）を取得し、記録制御部１３に出力する。操作入力部１２は、操作ボタン等を介してユーザによって入力される選択操作、検索操作、検索条件の登録操作、記録操作、再生操作等の種々の操作信号が入力されるインターフェイスである。
【００２２】
記録制御部１３は、データ入力部１１からデータを入力すると、入力したデータを記録媒体１４に記録する。
【００２３】
記録媒体１４は、ハードディスク等の記録媒体である。記録媒体１４では番組名等で識別されるデータが記録されている。また、図２に示すように、番組名には、データを録画した日時やデータのジャンル等、データに関する情報を関連付けている。
【００２４】
検索表示装置１では、フォルダを利用して記録媒体１４に記録されているデータを整理することができる。例えば図１に示す例では、「データａ１」は「おかあさんの園」のフォルダに属し、「データｂ１」は「おとうさんの園」のフォルダに属し、「データｃ１」及び「データｃ２」はいずれのフォルダにも属していない。
【００２５】
例えば、ユーザが「データａ１」は「おかあさんの園」に含まれていることを予め知っている場合、容易に「データａ１」を見つけることができる。一方、ユーザが「データａ１」は「おかあさんの園」に含まれていることを知らない場合は、検索表示装置１の有する検索機能を用いて「データａ１」を検索したり、無作為にフォルダ内を参照したりして「データａ１」を探す必要がある。
【００２６】
また、記録媒体１４は、図３に一例を示すように、「仮想フォルダ名」と関連付けて検索表示装置１の操作に比較的慣れた、又は精通したユーザによって予め登録された「検索条件」（検索条件データ１４１）を記録している。「仮想フォルダ名」は「検索条件」の識別子であって、ユーザが任意に登録することができる。なお、検索条件データ１４１は記録媒体１４とは別の記録媒体やメモリ等の記憶部（いずれも不図示）に記録又は記憶されるものであってもよい。
【００２７】
再生制御部１５は、操作入力部１２からデータの再生を操作する信号を入力すると、記録媒体１４から指定されたデータを読み出し、読み出したデータを再生してデータ出力部１６に出力する。
【００２８】
データ出力部１６は、再生制御部１５が再生したデータを接続されるディスプレイ（図示せず）に表示する。また、データ出力部１６は、検索処理部１７や登録処理部１８から入力した画面をディスプレイに表示する。
【００２９】
検索表示装置１では記録媒体１４に複数のデータが記録されている。検索表示装置１では、検索処理部１７がユーザからの操作に従ってデータを検索するため、ユーザは、検索結果に基づいて所望のデータを選択することができる。例えば、検索表示装置１は、ディスプレイに表示する図４に示すような画面２ａから選択された検索条件でデータを検索した後、図５に示すような画面２ｂとして検索結果をディスプレイに表示する。
【００３０】
図４に示すように画面２ａには、データ、フォルダ及び仮想フォルダに関する識別子が配列されており、検索表示装置１では、ポインタ２４によって選択された識別子に基づいて新たな画面が表示される。具体的には、画面２ａでは、識別子の選択に利用されるポインタ２４とともに、記録媒体１４に記録されているいずれのフォルダにも属さないデータの識別子（以下、「サムネイル」とする）２０１〜２０４、記録媒体１４で登録されているフォルダの識別子（以下、「アイコン」とする）２１１，２１２、及び仮想フォルダとして記録媒体１４で登録されている検索条件の識別子（以下、「アイコン」とする）２２１，２２２を含んでいる。
【００３１】
画面２ａからデータのサムネイル２０１〜２０４のいずれかが選択されると、検索表示装置１は、再生制御部１５を介して選択されたデータをディスプレイに再生する。また、画面２ａからフォルダのアイコン２１１，２１２が選択されると、検索表示装置１は、選択されたフォルダに属するデータのサムネイルを含む画面をディスプレイに表示する。さらにまた、画面２ａから検索条件のアイコン２２１，２２２が選択されると、検索表示装置１は、選択された検索条件で検索処理を実行し、検索されたデータのサムネイルを含む画面をディスプレイに表示する。検索処理については後述する。
【００３２】
図４で示すように、検索表示装置１がディスプレイに表示する画面２ａでは、検索条件のアイコン２２１，２２２は、フォルダのアイコン２１１，２１２と異なる階層で表示されることなく同一階層に配置される。検索結果も通常のフォルダ内のデータを参照する場合と同様に表示される。例えば、図６は、おとうさんの園のアイコン２１２が選択された場合に表示される画面２ｃであり、お父さんの園のフォルダに属するデータのサムネイルを配列して表示している。画面２ｃと同様に、最近１週間の録画のアイコン２２１が選択された場合に検索結果として表示される画面２ｂ（図５）も、検索条件で検索されたデータのサムネイルを配列した構成であり、画面のフォーマットは画面２ｃと同一である。
【００３３】
したがって、ユーザは、予め登録されている検索条件を用いてデータを検索する場合には、従来のような煩雑な操作を必要とせず、検索表示装置１の操作に不慣れなユーザであっても、通常のフォルダを開くという簡易な操作により、容易に検索を行うことができる。
【００３４】
検索処理部１７は、記録媒体１４で記録されているデータを検索するため、読出手段１７１、生成手段１７２、表示処理手段１７３、抽出手段１７４及び検索手段１７５を有している。
【００３５】
読出手段１７１は、記録媒体１４で記録されているデータの識別子、記録媒体１４で登録されているフォルダの識別子、記録媒体１４で登録されている検索条件の識別子を読み出す。例えば、読出手段１７１は、画面２ａを生成する際に、データの識別子、フォルダの識別子、検索条件の識別子を読み出す。生成手段１７２は、記録媒体１４から読み出されたフォルダに属しないデータの識別子（サムネイル）、フォルダの識別子（アイコン）及び検索条件の識別子（アイコン）を同一階層に配置した画面２ａを生成する。表示処理手段１７３は、生成された画面２ａをデータ出力部１６に出力し、ディスプレイに表示させる。
【００３６】
抽出手段１７４は、画面２ａからフォルダのアイコン２１１，２１２が選択されると、選択されたフォルダに属するデータの識別子を抽出する。一方、検索手段１７５は、画面２ａから検索条件のアイコン２２１，２２２が選択されると、記録媒体１４で記録されているデータから、選択された検索条件に適合するデータを検索する。データの検索は、例えば図２で示したような映像データの識別子と関連付けられているデータの情報（録画日時やジャンル等）を参照して実行される。
【００３７】
生成手段１７２は、抽出手段１７４によってデータが抽出されると、抽出されたデータのサムネイルを配列した画面２ｃを生成する。また、生成手段１７２は、検索手段１７５によって検索されたデータのサムネイルを配列した画面２ｂを生成する。表示処理手段１７３は、生成された画面２ｂ，２ｃをデータ出力部１６に出力し、ディスプレイに表示させる。
【００３８】
検索表示装置１では、検索の処理は上述したような検索処理部１７で実行される。また、検索表示装置１では、登録処理部１８によって、従来と同様の操作で検索条件を登録する。登録処理部１８は、検索条件を登録するため、読出手段１８１、生成手段１８２、表示処理手段１８３、及び更新手段１８４を有している。
【００３９】
読出手段１８１は、既に登録されている検索条件の更新が要求されると、記録媒体１４に記録されている検索条件を読み出す。
【００４０】
生成手段１８２は、読出手段１８１によって検索条件が読み出されると、更新する検索条件を選択させるための画面３ｂ（例えば、図１４）を生成する。また、生成手段１８２は、画面３ｂから更新対象となる検索条件が選択されると、更新させるための画面３ｃ（例えば、図１５）を生成する。さらにまた、生成手段１８２は、新たな検索条件の登録が要求されると、新たな検索条件を登録するための画面３ｅ（例えば、図１７）を生成する。
【００４１】
表示処理手段１８３は、生成された画面３ｂ，３ｃ，３ｅをデータ出力部１６に出力し、ディスプレイに表示させる。
【００４２】
更新手段１８４は、画面３ｃ，３ｅで更新又は登録する条件が入力されると、入力された条件で検索条件データ１４１を更新する。
【００４３】
続いて、図７に示すフローチャートを用いて検索表示装置１における登録処理について説明する。
【００４４】
まず、検索表示装置１は、例えば、図４に示すような画面２ａや図１３に示すような画面３ａを表示し、新たな検索条件を登録する場合にはボタン２３１，３１１がユーザによって選択され、既に登録されている検索条件を更新する場合にはボタン２３３，３１３がユーザによって選択されることで登録処理を開始する。
【００４５】
検索条件が更新される場合（Ｓ１０１でＮＯ）、読出手段１８１は、記録媒体１４から予め登録されている検索条件を読み出す（Ｓ１０２）。また、生成手段１８２は、読み出された検索条件から更新する条件を選択させる画面３ｂ（例えば、図１５）を生成する（Ｓ１０３）。表示処理手段１８３は、データ出力部１６を介してディスプレイに画面３ｂを表示する（Ｓ１０４）。
【００４６】
画面３ｂが含むいずれかの検索条件が選択されると（Ｓ１０５でＹＥＳ）、生成手段１８２は、ステップＳ１０５で選択された検索条件を更新する画面３ｃ（例えば、図１５）を生成する（Ｓ１０６）。表示処理手段１８３は、生成された画面３ｃを、データ出力部１６を介してディスプレイに表示する（Ｓ１０７）。その後、更新手段１８４は、入力された条件によって検索条件を更新した後に検索条件データ１４１を更新し（Ｓ１０９）、表示処理手段１８３は、データ出力部１６を介してディスプレイに検索条件を更新した旨を表示する（Ｓ１１０）。
【００４７】
また、新規の検索条件が登録される場合（Ｓ１０１でＹＥＳ）、生成手段１８２は、検索条件を登録して検索する画面３ｅ（図１７）を生成する（Ｓ１０６）。表示処理手段１８３は、データ出力部１６を介してディスプレイに画面３ｅを表示する（Ｓ１０７）。その後の処理は上述した検索条件を更新する場合と同様であって、入力された検索条件を追加して登録条件データ１４１を更新した後にデータに検索条件を登録した旨をディスプレイに表示する（Ｓ１０８〜Ｓ１１０）。
【００４８】
検索条件を更新する場合のユーザの操作としては、図７（ｂ）のフローチャートで一例を示すように、画面３ａを利用して希望する操作を入力して検索条件を含む画面３ｂを表示させ（Ｓ１２１）、表示される画面３ｂを参照する（Ｓ１２２）。その後、画面３ｂから更新の対象となる検索条件を選択して（Ｓ１２３）、画面３ｂを参照し（Ｓ１２４）、画面３ｂを利用して検索条件を入力する（Ｓ１２５）。なお、新規に検索条件を登録する場合、図７（ｂ）のフローチャートのステップＳ１２２の画面の参照やステップＳ１２３の条件の選択の処理は行わない。
【００４９】
このように、登録を行う場合は、装置における処理も図１２（ａ）を用いて前述した従来の登録の処理と同様であり、ユーザの操作も図１２（ｂ）を用いて前述した従来の登録の処理と同様である。
【００５０】
続いて、図８に示すフローチャートを用いて、本実施形態に係る検索表示装置１で実行される検索処理について説明する。検索表示装置１では、図７を用いて上述した処理によって予め検索条件が登録されている場合、ユーザは登録されている検索条件を利用することによって、簡単な操作で検索結果を得ることができる。
【００５１】
図８（ａ）に示すように、まず、検索表示装置１では、読出手段１７１が、記録媒体１４から、フォルダの識別子、フォルダに属さないデータの識別子及び検索条件の識別子を読み出す（Ｓ２０１）。また、生成手段１７２は、読み出された各識別子から、対象とする処理を選択させる画面２ａ（例えば、図４）を生成する（Ｓ２０２）。表示処理手段１７３は、データ出力部１６を介してディスプレイに画面２ａを表示する（Ｓ２０３）。
【００５２】
画面２ａから検索条件のアイコン２２１，２２２が選択されると（Ｓ２０４でＹＥＳ）、抽出手段１７４は、選択されたアイコンで特定される検索条件を抽出する（Ｓ２０５）。検索条件が抽出されると、検索手段１７５は、抽出された検索条件に適合するデータを記録媒体１４から検索する（Ｓ２０６）。その後、生成手段１７２は、検索されたデータのサムネイルを含む画面２ｂ（例えば、図５）を生成する（Ｓ２０７）。表示処理手段１７３は、データ出力部１６を介してディスプレイに画面２ｂを表示する（Ｓ２０８）。
【００５３】
また、画面２ａからフォルダのアイコン２１１，２１２が選択されると（Ｓ２０９でＹＥＳ）、抽出手段１７４は、選択されたアイコンで特定されるフォルダに属するデータを抽出する（Ｓ２１０）。データが抽出されると、生成手段１７２は、抽出されたデータのサムネイルを含む画面２ｃ（例えば、図６）を生成する（Ｓ２１１）。表示処理手段１７３は、データ出力部１６を介してディスプレイに画面２ｃを表示する（Ｓ２１２）。
【００５４】
画面２ａ〜２ｃからデータのサムネイルが選択されると（Ｓ２１３でＹＥＳ）、再生制御部１５は、選択されたサムネイルで特定されるデータを記録媒体１４から読み出し、データ出力部１６を介してディスプレイにデータを再生する。
【００５５】
ここで、登録される検索条件でデータを検索する場合のユーザの操作を図８（ｂ）に示すフローチャートを用いて説明する。
【００５６】
ユーザが画面２ａから仮想フォルダを選択し、決定すると（Ｓ２２１，Ｓ２２２）、仮想フォルダに関連付けられる条件で検索されたデータの画面２ｂが表示される。したがって、ユーザはその画面２ｂを参照して、データを選択すればよい。このように、検索の際に行うユーザの操作は、図１２（ｂ）で上述した場合と比較して少ないという点でも容易に操作を行うことができる。また、この操作は、ユーザが画面２ａから実際のフォルダのアイコン２１１，２１２を選択した場合に行う処理と同一であり、ユーザにとっては、検索を行っているという実感も無く、簡便な操作で検索を行うことができる。
【００５７】
このように、検索表示装置１の検索機能を利用して予め登録されている検索条件でデータを検索する場合、ユーザは、検索であることを意識せずに簡便な操作でデータを検索することができる。また例えば、この検索表示装置１を利用する家族の中で装置の操作に慣れたユーザが予め検索条件を登録しておけば、装置に不慣れなユーザであっても容易に検索することができる。
【００５８】
また、生成手段１７２が生成する画面は、図４に示した画面２ａに限られず、記録媒体１４でフォルダが存在しない場合には、図９に示すように、データのサムネイル２０１〜２０４と検索条件のアイコン２２１，２１２のみを含み、フォルダのアイコンを有しない画面２ｄであっても同様である。
【００５９】
更に、図４に示した画面２ａのようにデータをサムネイルとして表したり、フォルダや検索条件をアイコンとして表したりするのではなく、図１０に示す画面２ｅや図１１に示す画面２ｆのように、データ名やフォルダ名等で表すようにしてもよい。
【００６０】
なお、検索条件データ１４において複数の検索条件を階層的に記録することで、複数の検索条件に適合するデータを検索（ＡＮＤ検索）することもできる。このとき、生成手段１７３は、各検索条件に関連付けて各検索条件の識別子を付加した仮想フォルダを階層的に設けて画面を生成する。また、下位の仮想フォルダが選択された場合、検索手段１７５は、この下位の仮想フォルダに関連付けられた検索条件と、下位の仮想フォルダよりも上位の仮想フォルダに関連付けられた検索条件との両条件（ＡＮＤ条件）により適合するデータの識別子を、記録媒体１４で記録されるデータの識別子から検索する。
【００６１】
他に、複数の検索条件を同時に選択し、いずれかの検索条件に適合するデータを検索（ＯＲ検索）できるようにすることもできる。
【図面の簡単な説明】
【００６２】
【図１】本発明の最良の実施形態に係る検索表示装置の構成を説明するブロック図である。
【図２】図１の記録媒体で記録されるデータの一例である。
【図３】図１の記録媒体で記録される検索条件データの一例である。
【図４】図１の検索表示装置によって検索を開始する画面の一例である。
【図５】図１の検索表示装置によって検索された結果を表す画面の一例である。
【図６】図１の検索表示装置によってフォルダ内のデータを表す画面の一例である。
【図７】図１の検索表示装置において検索条件を登録する処理の一例を説明するフローチャートである。
【図８】図１の検索表示装置においてデータを検索する処理の一例を説明するフローチャートである。
【図９】図４で示した画面の変形例である。
【図１０】図４で示した画面の他の変形例である。
【図１１】図４で示した画面の他の変形例である。
【図１２】従来の記録再生装置の検索機能によるデータの検索処理の一例を説明するフローチャートである。
【図１３】図１２の検索処理において表示される初期画面の一例である。
【図１４】図１２の検索処理において表示される検索条件のリスト画面の一例である。
【図１５】図１２の検索処理において表示される更新画面の一例である。
【図１６】図１２の検索処理において検索条件が更新された更新画面の一例である。
【図１７】図１２の検索処理において検索条件が新規に登録する登録画面の一例である。
【符号の説明】
【００６３】
１…検索表示装置
１１…データ入力部
１２…操作入力部
１３…記録制御部
１４…記録媒体（記録手段）
１４１…検索条件データ
１５…再生制御部
１６…データ出力部
１７…検索処理部
１７１…読出手段
１７２…生成手段（第１ＧＵＩ画面生成手段、第２ＧＵＩ画面生成手段、第３ＧＵＩ画面生成手段）
１７３…表示処理手段
１７４…抽出手段
１７５…検索手段
１８…登録処理部
１８１…読出手段
１８２…生成手段
１８３…表示処理手段
１８４…更新手段
【図１】
2008225850.tif 000003
【図２】
2008225850.tif 000004
【図３】
2008225850.tif 000005
【図４】
2008225850.tif 000006
【図５】
2008225850.tif 000007
【図６】
2008225850.tif 000008
【図７】
2008225850.tif 000009
【図８】
2008225850.tif 000010
【図９】
2008225850.tif 000011
【図１０】
2008225850.tif 000012
【図１１】
2008225850.tif 000013
【図１２】
2008225850.tif 000014
【図１３】
2008225850.tif 000015
【図１４】
2008225850.tif 000016
【図１５】
2008225850.tif 000017
【図１６】
2008225850.tif 000018
【図１７】
2008225850.tif 000019